(57)【要約】【課題】主剤が収容された容器本体内へ添加剤を確実に添加させ、混合体を作成する操作を簡便にする。【解決手段】容器本体１内にカップ体５内から添加剤Ｍ２を添加して、主剤Ｍ１と添加剤Ｍ２とを混合させ混合体を作成する混合容器１０であって、容器本体１の胴部１Ａには、内部が容器本体１内に連通しかつキャップ部材４が着脱可能に螺着される装着筒３が突設され、キャップ部材４は、装着筒３に螺着される有頂筒状の外筒４Ａと、外筒４Ａの径方向内方に周方向に間隔をあけて複数配置されカップ体５を径方向外方から支持する支持体４Ｂと、を有するとともに、カップ体５をフィルム材が下側に向けて露出する姿勢に保持可能に構成され、装着筒３内には上側に向けて尖りフィルム材５Ａを破断する刃部３Ｆが配設されている。【選択図】図２
2011063275.tif 000002
【特許請求の範囲】
【請求項１】
主剤が収容された胴部と、注出具または封止キャップが装着される口部と、を備える容器本体と、
添加剤が収容されるとともに開口部がフィルム材でシールされたカップ体を保持するキャップ部材と、を備え、
前記容器本体内にカップ体内から添加剤を添加して、主剤と添加剤とを混合させ混合体を作成する混合容器であって、
前記胴部には、内部が容器本体内に連通しかつ前記キャップ部材が着脱可能に螺着される装着筒が突設され、
前記キャップ部材は、前記装着筒に螺着される有頂筒状の外筒と、前記外筒の径方向内方に周方向に間隔をあけて複数配置され前記カップ体を径方向外方から支持する支持体と、を有するとともに、前記カップ体を前記フィルム材が装着筒の軸方向に沿った容器本体の内側に向けて露出する姿勢に保持可能に構成され、
前記装着筒内には、前記軸方向に沿った容器本体の外側に向けて尖り前記フィルム材を破断する刃部が配設されていることを特徴とする混合容器。
【請求項２】
請求項１記載の混合容器であって、
前記カップ体の外周面には、前記軸方向に沿って延びる溝が周方向に間隔を開けて複数形成され、
前記外筒の天壁部は、カップ体をその底部側から支持し、
前記支持体の内面には、前記軸方向に沿って延びるとともに前記溝に係合するリブと、前記カップ体を前記開口部側から支持する突起と、が形成されていることを特徴とする混合容器。
【請求項３】
請求項１または２に記載の混合容器であって、
前記添加剤は農業用薬剤の濃縮剤であることを特徴とする混合容器。
【発明の詳細な説明】
【技術分野】
【０００１】
本発明は、主剤が収容された容器本体に添加剤を添加して、主剤と添加剤とを混合させる混合容器に関する。
【背景技術】
【０００２】
従来から、例えば殺菌剤若しくは殺虫剤等の農業用薬剤、または接着剤等の薬剤、あるいは食品として、主剤に添加剤を添加した混合体を使用あるいは飲食するものが提供されている。なお、混合体としては、主剤としての希釈液中に添加剤としての濃縮剤を添加して、有効成分が適切な濃度に希釈されたもの、主剤と添加剤とを混合することで新たな性質を示す生成物、あるいは主剤に例えば芳香成分や調味料等の添加剤を単に添加したもの等が挙げられる。
この種の混合体には、時間の経過に伴い例えば沈殿や凝集等が生じて、効能が低下したり変質若しくは腐敗したりする等のおそれがあるものや、使用する必要量だけ作成することが望まれるもの等があるため、使用の直前に混合体を作成することが好ましい場合もある。
このように主剤に添加剤を添加する混合容器として、従来から、例えば下記特許文献１に示されるような、主剤が収容された容器本体と、複数種の添加剤が各別に収容された複数のチューブ容器体と、容器本体の第１口頚部に装着され前記混合体を吐出するノズル付きヘッドと、を有するものが知られている。
容器本体には、第１口頚部とは別に第２口頚部が備えられ、この第２口頚部に、前記チューブ容器体の先端が差し込まれる流入孔が形成されるとともに、この流入孔を開閉させる蓋体が装着されている。
以上のように構成された混合容器では、混合体を作成する際、まずチューブ容器体の先端を開口させるとともに、蓋体を開いて流入孔を開口させ、この流入孔にチューブ容器体の先端を差し込んだ状態でチューブ容器体を圧搾し、チューブ容器体内の内容物を容器本体内へ流入させる。その後、残りのチューブ容器体についても同様の操作を繰り返して各内容物を容器本体内へ順次流入させた後に、蓋体を閉めて流入孔を閉塞することで、容器本体内での混合体の作成が完了する。
【先行技術文献】
【特許文献】
【０００３】
【特許文献１】実用新案登録第２５３７８８３号公報
【発明の概要】
【発明が解決しようとする課題】
【０００４】
しかしながら、前記従来の混合容器においては、混合体を作成するために要する操作に手間がかかるという問題があった。
また、チューブ容器体の先端を開口させる際、開口したチューブ容器体の先端を流入孔へ差し込む際、あるいはチューブ容器体を圧搾する際に、作業者が操作を誤って内容物を容器本体の外へ零す虞があった。
なお、このように容器本体の外へ内容物が零れてしまうと、所期の効能、性状若しくは味等を有しない混合体が得られることとなる。
【０００５】
本発明は、このような事情に鑑みてなされたものであって、主剤が収容された容器本体内へ添加剤を確実に添加することができ、混合体を作成する操作が簡便に行える混合容器を提供することを目的としている。
【課題を解決するための手段】
【０００６】
前記目的を達成するために、本発明は以下の手段を提案している。
すなわち本発明は、主剤が収容された胴部と、注出具または封止キャップが装着される口部と、を備える容器本体と、添加剤が収容されるとともに開口部がフィルム材でシールされたカップ体を保持するキャップ部材と、を備え、前記容器本体内にカップ体内から添加剤を添加して、主剤と添加剤とを混合させ混合体を作成する混合容器であって、前記胴部には、内部が容器本体内に連通しかつ前記キャップ部材が着脱可能に螺着される装着筒が突設され、前記キャップ部材は、前記装着筒に螺着される有頂筒状の外筒と、前記外筒の径方向内方に周方向に間隔をあけて複数配置され前記カップ体を径方向外方から支持する支持体と、を有するとともに、前記カップ体を前記フィルム材が装着筒の軸方向に沿った容器本体の内側に向けて露出する姿勢に保持可能に構成され、前記装着筒内には、前記軸方向に沿った容器本体の外側に向けて尖り前記フィルム材を破断する刃部が配設されていることを特徴とする。
【０００７】
本発明に係る混合容器によれば、混合体の作成に際し、フィルム材で密封されているカップ体をキャップ部材により前述の姿勢に保持させた状態で、このキャップ部材を装着筒に螺着すると、刃部によりカップ体のフィルム材が破断され、カップ体内の添加剤が開口部から流出し装着筒内を通って容器本体の内部に流入する。このように、密封されているカップ体をキャップ部材に保持させた後は、キャップ部材を装着筒に螺着する操作のみで、カップ体が開封され添加剤が容器本体内に添加されるので、混合体を作成する操作が簡便に行える。
また、刃部が装着筒内に配設されていて、カップ体を密封するフィルム材が装着筒の内部で破断されることから、カップ体内の添加剤が容器本体の内部に確実に流入することとなり、添加剤が容器本体の外部に零れるようなことが防止される。
【０００８】
さらに、キャップ部材が装着筒に螺着されているので、キャップ部材が保持するカップ体を装着筒内に充分に押し込むことができ、刃部によるフィルム材の破断がより確実に行える。また、キャップ部材が装着筒に螺着されていることから、この螺着時にキャップ部材や容器本体に余分な力が加わり難くなり、キャップ部材や容器本体の姿勢を安定させることができる。
【０００９】
ここで、前記カップ体の外周面には、前記軸方向に沿って延びる溝が周方向に間隔を開けて複数形成され、前記外筒の天壁部は、カップ体をその底部側から支持し、前記支持体の内面には、前記軸方向に沿って延びるとともに前記溝に係合するリブと、前記カップ体を前記開口部側から支持する突起と、が形成されてもよい。
【００１０】
この場合、カップ体をキャップ部材に保持させることで、カップ体のキャップ部材に対する径方向への移動が支持体により規制され、カップ体のキャップ部材に対する周方向への移動が溝とリブとの係合により規制され、カップ体のキャップ部材に対する軸方向への移動が外筒の天壁部および突起により規制される。これにより、カップ体を保持するキャップ部材を装着筒に螺着する際、カップ体をフィルム材とともに刃部に向けて確実に移動させることが可能になる。
【００１１】
また、前記添加剤は農業用薬剤の濃縮剤であってもよい。
この場合、使用する直前に混合体とすることが一般に望まれているので好適である。
【００１２】
なお、農業用薬剤として、例えば肥料、殺菌剤、殺虫剤、害虫忌避剤、除草剤、生物農薬、天然系農薬、展着剤、着果促進剤若しくは植物成長調整剤等が挙げられる。
これらのうち、生物農薬に属する農業用薬剤の濃縮剤の好適な例としては、例えば、バーティシリウム属、バチルス属、ペーシロマイセス属、ボーベリア属、若しくはメタリジウム属等に属する害虫に対して感染力を有する微生物、または、アグロバクテリウム属、アクチノマデュラ属、エンテロバクター属、キサトスポリア属、キブデロスポランジウム属、シュードモナス属、ストレプトミセス属、バチルス属、フザリウム属、若しくはペレニポリア属等に属する抗生物質産生微生物、または、アシネトバクター属、アムペロミシス属、アルカンジウム属、エルビニア属、エンテロバクター属、クラドスポリウム属、コリネバクテリウム属、シストバクター属、シュードモナス属、セラチア属、トリコデルマ属、バチルス属、フザリウム属、ペーシロマイセス属、ペニシリウム属、若しくはミキソコッカス属等に属する病原菌に対して拮抗性を有する微生物、または、ザントモナス属、若しくはメタリジウム属等に属する雑草に対して感染力を有する微生物、または、アスペルギルス属、アルスポトリス属、ストレプトミセス属、トリコデルマ属、バチルス属、バクセラ属、バエシロミセス属、パスツリア属、ミロテシウム属、若しくはモナクロスボリウム属等に属する殺線虫性を有する微生物、または、弱毒ウィルス、若しくはバクテリオファージ等に属する病原菌に対して感染力を有するウィルス等を、乾燥等によって製剤化したもの等が挙げられる。
また天然系農薬に属する農業用薬剤の濃縮剤の好適な例としては、例えば、バチルス・チューリンゲンシス由来のＢｔたんぱく質を乾燥等によって製剤化したもの、あるいは微生物や植物の産生した有機物を濃縮製剤化したもの等が挙げられる。
特に、前記添加剤が、生物農薬若しくは天然系農薬に属する農業用薬剤の濃縮剤である場合には、混合体の状態では、時間の経過に伴い効能の低下、変質、あるいは腐敗等が発生し易く、使用する直前に混合体とすることが特に望まれているので、前述の作用効果が顕著に奏功されることとなる。
【発明の効果】
【００１３】
本発明に係る混合容器によれば、主剤が収容された容器本体内へ添加剤を確実に添加することができ、混合体を作成する操作が簡便に行える。
【図面の簡単な説明】
【００１４】
【図１】本発明の一実施形態に係る混合容器を示す一部縦断面図である。
【図２】図１のＡ部を示す拡大図である。
【図３】図２において、キャップ部材がカップ体を保持していない状態を示す図である。
【図４】図１から図３に示す混合容器において、キャップ部材の縦断面図、およびカップ体の側面図である。
【図５】図１から図４に示す混合容器において、キャップ部材に保持されたカップ体のフランジ部を指で摘んだ状態を示す側面図である。
【図６】本発明の他の実施形態に係る混合容器であって、（ａ）容器本体内に添加剤を添加している状態を示す要部拡大縦断面図、および（ｂ）カップ体をキャップ部材から外している状態を示す概略図である。
【図７】本発明の他の実施形態に係る混合容器であって、（ａ）容器本体内に添加剤を添加している状態を示す要部拡大縦断面図、および（ｂ）カップ体をキャップ部材から外している状態を示す概略図である。
【図８】本発明の他の実施形態に係る混合容器であって、（ａ）容器本体内に添加剤を添加している状態を示す要部拡大縦断面図、および（ｂ）カップ体をキャップ部材から外している状態を示す概略図である。
【発明を実施するための形態】
【００１５】
本実施形態に係る混合容器１０は、主剤Ｍ１が収容された容器本体１と、添加剤Ｍ２が収容されるとともに開口部がフィルム材５Ａでシールされたカップ体５と、カップ体５を保持するキャップ部材４と、を備え、容器本体１内にカップ体５内から添加剤Ｍ２を添加して、主剤Ｍ１と添加剤Ｍ２とを混合させ混合体を作成するように構成されている。
【００１６】
なお、主剤Ｍ１が詰め替え可能であり、しかも添加剤Ｍ２の収容されたカップ体５が販売されている場合には、混合容器１０のうち少なくとも容器本体１およびキャップ部材４は繰り返し使用することができる。
また混合体としては、例えば農業用薬剤若しくは接着剤等の薬剤、あるいは食品等が挙げられる。これらのうち、農業用薬剤としては、例えば肥料、殺菌剤、殺虫剤、害虫忌避剤、除草剤、生物農薬、天然系農薬、展着剤、着果促進剤若しくは植物成長調整剤等が挙げられる。
さらに混合体としては、主剤Ｍ１としての希釈液中に添加剤Ｍ２としての濃縮剤を添加して、有効成分が適切な濃度に希釈されたもの、主剤Ｍ１と添加剤Ｍ２とを混合することで新たな性質を示す生成物、あるいは主剤Ｍ１に例えば芳香成分や調味料等の添加剤Ｍ２を単に添加したもの等が挙げられる。
また、混合体が農業用薬剤の場合、主剤Ｍ１と添加剤Ｍ２の組み合わせとしては、例えば、肥料と殺虫剤、肥料と殺菌剤、殺菌剤と殺虫剤、殺菌スペクトラムが互いに異なる複数の殺菌剤、殺虫スペクトラムが互いに異なる複数の殺虫剤、展着剤と殺菌剤、展着剤と殺虫剤、または、水と肥料、殺菌剤、殺虫剤、害虫忌避剤、除草剤、生物農薬、天然系農薬、展着剤、着果促進剤若しくは植物成長調整剤等が挙げられる。さらに、添加剤Ｍ２の剤型としては、例えば、顆粒水和剤若しくは顆粒水溶剤である顆粒剤、錠剤、粒剤、粉剤、水和剤、乳剤、液剤、油剤、フロアブル剤、エマルション剤、マイクロエマルション剤、またはサスポエマルション剤等が挙げられる。
【００１７】
容器本体１の口部には、図示の例ではトリガー式噴出器（注出具）２が装着されている。トリガー式噴出器２は、トリガー２Ａを揺動させる操作によって、容器本体１内の混合体を吸い上げかつノズル２Ｂから外部へ噴出させる構成とされている。
容器本体１の胴部１Ａには、内部が容器本体１内に連通しかつキャップ部材４が着脱可能に螺着される装着筒３が突設されている。図示の例では、装着筒３は１つ配設され、容器本体１の底部側から口部側へ向かうに従い容器本体１の外側に向けて、つまり斜め上方に向けて延在している。
ここで、装着筒３およびキャップ部材４は、共通軸と同軸に配設されている。以下、この共通軸を軸Ｏといい、軸Ｏ方向に沿って容器本体１の外側を上側、容器本体１の内側を下側といい、軸Ｏに直交する方向を径方向といい、軸Ｏ回りに沿った方向を周方向という。
【００１８】
装着筒３の外周面には、図２および図３に示すように、雄ねじ３Ａが形成され、また装着筒３内に内筒３Ｂが固定状態で嵌合されている。
内筒３Ｂの外周面における上端部には、径方向外方へ向けて突出するとともに周方向に沿って延びる環状の上鍔部３Ｃが形成されている。上鍔部３Ｃの下面は、装着筒３の上端開口縁に当接している。
【００１９】
内筒３Ｂの内周面における下端部には、径方向内方へ向けて突出するとともに周方向に沿って延びる環状の下鍔部３Ｄが形成されるとともに、この下鍔部３Ｄから径方向内方に間隔を開けて、円板３Ｅが軸Ｏと同軸に配置されている。
内筒３Ｂ内における下鍔部３Ｄと円板３Ｅとの間に位置する部分には、上側に向けて尖る刃部３Ｆが配設されている。図示の例では、刃部３Ｆは、周方向に間隔を開けて複数設けられている。これらの刃部３Ｆの各下端部は、下鍔部３Ｄと円板３Ｅとを連結している。図示の例では、刃部３Ｆにおける径方向または周方向の幅は、下側から上側へ向かうに連れ漸次狭くなっており、刃部３Ｆは上側に向けて尖る鋭利な上端部を有する三角形板状に形成されている。
そして、周方向に隣り合う刃部３Ｆ同士の間において下鍔部３Ｄと円板３Ｅとの間の隙間が、内筒３Ｂの内部と容器本体１の内部とを連通する流入口３Ｇとなっている。
【００２０】
キャップ部材４は、装着筒３に螺着される外筒４Ａと、外筒４Ａの径方向内方に周方向に間隔をあけて複数配置された支持体４Ｂと、を有している。
外筒４Ａは有頂筒状に形成され、その内周面に雌ねじ４Ｃが形成されていて、装着筒３の雄ねじ３Ａと螺合している。
支持体４Ｂは、外筒４Ａの天壁部４Ｆにおける下面から下側に向けて延びる板状体となっている。図示の例では、支持体４Ｂは２つ配設されており、これらの支持体４Ｂはそれぞれ、天壁部４Ｆの平面視で軸Ｏを中心とする円弧状を呈するとともに、この軸Ｏを径方向に挟んで互いに対向している。
支持体４Ｂの表面のうち径方向内方を向く内面には、軸Ｏ方向に沿って延びるリブ４Ｄが、周方向に間隔を開けて複数形成されている。支持体４Ｂの内面における下端部には、径方向内方へ向けて突起４Ｅが突設されている。なお、突起４Ｅの径方向内端部は凸曲面状に形成されている。また、リブ４Ｄの下端は突起４Ｅよりも上側に離れており、リブ４Ｄと突起４Ｅとの間には軸Ｏ方向の隙間が設けられている。
【００２１】
カップ体５は、図４に示すように、有底筒状に形成されるとともに、その開口端には径方向外方へ向けて突出するとともに周方向に沿って延びるフランジ部５Ｃが形成されている。フランジ部５Ｃに円形薄膜状のフィルム材５Ａが貼着されて、カップ体５の開口部がシールされている。なお、フィルム材５Ａとしてはシート状体等も含まれる。
カップ体５の外周面には、軸Ｏ方向に沿って延びる溝５Ｂが周方向に間隔を開けて複数形成されている。
【００２２】
このカップ体５を、その底部側からキャップ部材４における２つの支持体４Ｂ同士の間に軸Ｏ方向に沿った外筒４Ａの内側に向けて差し込んでいくと、カップ体５の外周面が支持体４Ｂの突起４Ｅに摺接して、２つの支持体４Ｂが互いに離れるように径方向外方へ向けて弾性変形させられることにより、２つの支持体４Ｂ同士の間にカップ体５が進入し、カップ体５が支持体４Ｂにより径方向に挟み込まれる。この際、カップ体５の底部が外筒４Ａの天壁部４Ｆに当接し、カップ体５のフランジ部５Ｃが、支持体４Ｂにおけるリブ４Ｄと突起４Ｅとの間の前記隙間に配置された状態で突起４Ｅに当接若しくは近接し、リブ４Ｄがカップ体５の溝５Ｂに係合する。またこの際、カップ体５は、フィルム材５Ａが軸Ｏ方向に沿った外筒４Ａの外側に向けて露出されるようにキャップ部材４に保持される。
【００２３】
以上のように、カップ体５が２つの支持体４Ｂにより径方向に挟み込まれることで、カップ体５のキャップ部材４に対する径方向の移動が規制され、また、カップ体５の底部が外筒４Ａの天壁部４Ｆに当接し、かつカップ体５のフランジ部５Ｃが、支持体４Ｂにおけるリブ４Ｄと突起４Ｅとの間の前記隙間に配置された状態で突起４Ｅに当接若しくは近接することにより、カップ体５のキャップ部材４に対する軸Ｏ方向の移動が規制され、さらに、リブ４Ｄとカップ体５の溝５Ｂとが係合することにより、カップ体５のキャップ部材４に対する周方向の移動が規制される。
【００２４】
このようにカップ体５を保持したキャップ部材４を装着筒３に螺着すると、装着筒３および内筒３Ｂが、キャップ部材４における外筒４Ａの内周面と支持体４Ｂの外面との間に進入し、かつカップ体５がフィルム材５Ａ側から支持体４Ｂとともに内筒３Ｂ内に進入する。そして、内筒３Ｂの上鍔部３Ｃが外筒４Ａの天壁部４Ｆに液密状態で当接し、かつ支持体４Ｂの下端部が内筒３Ｂの下鍔部３Ｄに液密状態で当接することで、キャップ部材４の装着筒３への螺着が完了する。
以上の過程で、カップ体５のフィルム材５Ａが刃部３Ｆにより破断され、カップ体５に収容された添加剤Ｍ２が、該カップ体５の開口部から内筒３Ｂ内へ流出した後に、流入口３Ｇを通過し容器本体１の内部へ流入して、主剤Ｍ１と混合され混合体が作成される。
【００２５】
なお、カップ体５を保持するキャップ部材４を装着筒３から取り外した後は、図５に示すように、カップ体５のフランジ部５Ｃのうち、支持体４Ｂに支持されていない部分を摘んで、カップ体５およびキャップ部材４を相対的に離間移動させることにより、カップ体５をキャップ部材４から取り外すことができる。
【００２６】
以上説明したように、本実施形態に係る混合容器１０によれば、混合体の作成に際し、フィルム材５Ａで密封されているカップ体５をキャップ部材４により前述の姿勢に保持させた状態で、このキャップ部材４を装着筒３に螺着すると、刃部３Ｆによりカップ体５のフィルム材５Ａが破断され、カップ体５内の添加剤Ｍ２が開口部から流出して容器本体１の内部に流入する。このように、密封されているカップ体５をキャップ部材４に保持させた後は、キャップ部材４を装着筒３に螺着する操作のみで、カップ体５が開封され添加剤Ｍ２が容器本体１内に添加されるので、混合体を作成する操作が簡便に行える。
【００２７】
さらに、刃部３Ｆが装着筒３内に配設されていて、カップ体５を密封するフィルム材５Ａが装着筒３の内部で破断されることから、カップ体５内の添加剤Ｍ２が容器本体１の内部に確実に流入することとなり、添加剤Ｍ２が容器本体１の外部に零れるようなことが防止される。
また、刃部３Ｆにおける径方向または周方向の幅が、下側から上側へ向かうに連れ漸次狭くなっているので、カップ体５を保持するキャップ部材４を装着筒３に螺着する過程で、刃部３Ｆをカップ体５内に深く進入させるのに伴って、フィルム材５Ａにおける破断領域を径方向または周方向に広げることが可能になり、カップ体５から添加剤Ｍ２を容器本体１内に確実に流入させることができる。
【００２８】
さらに、キャップ部材４が装着筒３に螺着されているので、キャップ部材４が保持するカップ体５を装着筒３内に充分に押し込むことができ、刃部３Ｆによるフィルム材５Ａの破断がより確実に行える。また、キャップ部材４が装着筒３に螺着されていることから、この螺着時にキャップ部材４や容器本体１に余分な力が加わり難くなり、キャップ部材４や容器本体１の姿勢を安定させることができる。
また本実施形態では、カップ体５をキャップ部材４に保持させることで、前述のようにカップ体５のキャップ部材４に対する径方向、周方向および軸Ｏ方向への各移動が規制されるため、カップ体５を保持するキャップ部材４を装着筒３に螺着する際、カップ体５をフィルム材５Ａとともに刃部３Ｆに向けて確実に移動させることが可能になる。
【００２９】
さらに、添加剤Ｍ２として、農業用薬剤の濃縮剤が採用された場合には、使用する直前に混合体とすることが一般に望まれているので好適である。
特に、添加剤Ｍ２が、生物農薬若しくは天然系農薬に属する農業用薬剤の濃縮剤である場合には、混合体の状態では、時間の経過に伴い効能の低下、変質、あるいは腐敗等が発生し易く、使用する直前に混合体とすることが特に望まれているので、前述の作用効果が顕著に奏功されることとなる。
【００３０】
なお、本発明は前述の実施の形態に限定されるものではなく、本発明の趣旨を逸脱しない範囲において種々の変更を加えることが可能である。
【００３１】
例えば、前述の実施形態では、キャップ部材４に、２つの支持体４Ｂが設けられていることとしたが、支持体４Ｂの数量は、これに限定されるものではなく、例えば、周方向に間隔を開けて３つ以上設けられていてもよい。
また、前記実施形態では、支持体４Ｂとして板状体を示したが、例えば柱状体若しくは棒状体等であってもよい。
さらに、前記実施形態では、容器本体１の口部にトリガー式噴出器２を装着したが、これに代えて例えば、ポンプ、注出ノズル若しくは注出孔が形成されたキャップ体等の他の注出具、あるいは封止キャップ等を装着してもよい。
また、前記実施形態では、容器本体１の胴部１Ａに装着筒３を１つ配設したが、２つ以上配設してもよく、また装着筒３の延在する方向は前述の斜め上方に限らず例えば鉛直方向若しくは水平方向であってもよい。
さらに、前記実施形態では、キャップ部材４に保持されたカップ体５のフランジ部５Ｃが、支持体４Ｂの突起４Ｅに当接若しくは近接する構成を示したが、フランジ部５Ｃと突起４Ｅとを互いに離間させてもよい。
さらにまた、前記実施形態では、刃部３Ｆを複数設けたが１つであってもよく、さらに刃部３Ｆとして、上側に向けて尖る鋭利な上端部を有する三角形板状を示したが、上側に向けて尖る鋭利な上端部を有する台形板状、四角形板状、五角形板状、若しくは半円弧形板状等を採用してもよい。
【００３２】
また、キャップ部材４は前記実施形態に限らず適宜変更してもよい。
例えば図６に示されるように、外筒４Ａの天壁部４Ｆの上面に、軸Ｏを径方向に挟んで互いに対向する一対のつまみ片１１を上方に向けて延設し、一対のつまみ片１１を互いに接近するように摘むことで、２つの支持体４Ｂが互いに離間するように天壁部４Ｆを弾性変形させる構成としてもよい。なお図示の例では、一対のつまみ片１１は、天壁部４Ｆの上面において支持体４Ｂの配設位置と対応する位置に配設されている。
このキャップ部材４においては、保持したカップ体５の開口部が下方に向くような姿勢にして、前述のように２つの支持体４Ｂを互いに離間させ、カップ体５に対する支持体４Ｂの挟み込みを解除することにより、カップ体５がキャップ部材４から自重により外れる。
この構成においては、カップ体５に触れなくてもキャップ部材４からカップ体５を外すことができる。
【００３３】
また、キャップ部材４に代えて例えば図７に示されるようなキャップ部材１２を採用してもよい。
このキャップ部材１２の外筒４Ａの天壁部４Ｆにおける中央部は、上側に向けて膨出し軸Ｏ方向に弾性変形可能なドーム部１２Ａとなっている。ドーム部１２Ａの下面における中央部には、下側に向けて突出する押出筒１２Ｂが形成されている。天壁部４Ｆの外周縁には、径方向外方へ向けて突出するとともに周方向に沿って延びる環状突出部１２Ｃが形成されている。
このキャップ部材１２の支持体４Ｂは、天壁部４Ｆの下面におけるドーム部１２Ａの外周縁部から下側に向けて延びる板状体とされ、周方向に間隔をあけて６つ配設されている。また、これらの支持体４Ｂは、天壁部４Ｆの平面視で軸Ｏを中心とする円形状を呈していて、カップ体５を径方向外方からほぼ全周にわたって支持している。なお、この支持体４Ｂには、突起４Ｅが設けられていない。また、各支持体４Ｂの内面には、１つのリブ４Ｄが配設されている。
そして、このキャップ部材１２にカップ体５を保持させると、カップ体５の底部が天壁部４Ｆの押出筒１２Ｂに近接若しくは当接し、カップ体５のフランジ部５Ｃが支持体４Ｂの下端縁に当接し、リブ４Ｄがカップ体５の溝５Ｂに係合する。
このキャップ部材１２においては、保持したカップ体５の開口部が下方に向くような姿勢にして、天壁部４Ｆのドーム部１２Ａを下側に向けて押し込むと、押出筒１２Ｂが下側に向けて移動しカップ体５の底部を下側に向けて押し込みながら、複数の支持体４Ｂが拡開しカップ体５に対する径方向外方からの支持を解除することにより、カップ体５がキャップ部材１２から自重により外れる。
この構成においても、カップ体５に触れずにキャップ部材１２からカップ体５を外すことができる。
【００３４】
さらに、キャップ部材４、１２およびカップ体５に代えて例えば図８に示されるようなキャップ部材１３やカップ体１４を採用してもよい。
このキャップ部材１３の外筒４Ａの天壁部４Ｆにおける中央部には、軸Ｏと同軸に貫通孔１３Ａが形成されている。天壁部４Ｆの外周縁には前記環状突出部１２Ｃが形成されている。
このキャップ部材１３の支持体４Ｂは、天壁部４Ｆの下面において貫通孔１３Ａよりも径方向外方に位置する部分から下側に向けて延びる板状体とされ、周方向に間隔をあけて６つ配設されている。また、これらの支持体４Ｂは、天壁部４Ｆの平面視で軸Ｏを中心とする円形状を呈していて、カップ体５を径方向外方からほぼ全周にわたって支持している。なお、この支持体４Ｂには、突起４Ｅが設けられていない。また、各支持体４Ｂの内面には、１つのリブ４Ｄが配設されている。
カップ体１４の底部における中央部には、軸Ｏ方向の外側に向けて突出する突起部１４Ａが突設されている。
そして、このキャップ部材１３にカップ体１４を保持させると、カップ体１４の底部が天壁部４Ｆに当接するとともに、突起部１４Ａが天壁部４Ｆの貫通孔１３Ａ内に挿入され、カップ体１４のフランジ部５Ｃが支持体４Ｂの下端開口縁に当接し、リブ４Ｄがカップ体１４の溝５Ｂに係合する。この際、カップ体１４の突起部１４Ａは、キャップ部材１３の天壁部４Ｆから上方に突出している。
このキャップ部材１３においては、保持したカップ体１４の開口部が下方に向くような姿勢にして、キャップ部材１３の天壁部４Ｆから上方に突出しているカップ体１４の突起部１４Ａを下方に向けて押し込むと、カップ体１４がキャップ部材１３に対して下側に押し下げられキャップ部材１３から外れる。
この構成では、カップ体１４のうち底部の突起部１４Ａのみに触れれば、開口部に近い例えばフランジ部５ｃ等には触れずにキャップ部材１３からカップ体１４を外すことができる。
【００３５】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００３６】
１  容器本体
１Ａ  胴部
２  トリガー式噴出器（注出具）
３  装着筒
３Ｆ  刃部
４、１２、１３  キャップ部材
４Ａ  外筒
４Ｂ  支持体
４Ｄ  リブ
４Ｅ  突起
４Ｆ  天壁部
５、１４  カップ体
５Ａ  フィルム材
５Ｂ  溝
１０  混合容器
Ｍ１  主剤
Ｍ２  添加剤
Ｏ  軸
【図１】
2011063275.tif 000003
【図２】
2011063275.tif 000004
【図３】
2011063275.tif 000005
【図４】
2011063275.tif 000006
【図５】
2011063275.tif 000007
【図６】
2011063275.tif 000008
【図７】
2011063275.tif 000009
【図８】
2011063275.tif 000010